(57)【要約】 【課題】  壁面装着手段として磁石を採用している器具において、磁石に強い磁力のものを採用して吸着力を高めても、器具の壁面からの取り剥がしにおいて、磁石が器具本体からの分離が生じなく、且つ収納物の荷重による鉛直方向の力（重力）に対しても磁力の強さが効果的に発揮される壁面装着整理具を提供する。【解決手段】  適宜な収納部を備えた収納本体１に、磁石２４による吸着部２と前記吸着部に対応する滑止部３とを付設すると共に、前記吸着部の磁石を、本体１と一体に形成された吸着面の内方に組み込んでなる。【選択図】  図１
2005198880.tif 000002
【特許請求の範囲】
【請求項１】
適宜な収納部を備えた収納本体に、磁石による吸着部と前記吸着部に対応する滑止部とを付設すると共に、前記吸着部の磁石を、本体と一体に形成された吸着面の内方に組み込んでなることを特徴とする壁面装着整理具。
【請求項２】
収納本体が吸着部を有する装着背面部を備え、装着背面部の内面側に外面側との間を薄肉とする凹部を形成し、前記凹部内に磁石を組み込んで吸着部を形成してなる請求項１記載の壁面装着整理具。
【請求項３】
装着背面部に形成する吸着部を、背面部の外面適宜箇所において平滑装着面となる突部を形成し、当該突部の内面側に磁石を組み込んで構成し、適宜な柔軟性を有するシリコン樹脂で形成した滑止体を、前記突部下方に設けると共に、前記突部より僅かに突出せしめて滑止部とした請求項２記載の壁面装着整理具。
【請求項４】
収納部を、装着背面部と前面板部と底面板で構成し、収納対象物を装着背面部と前面板部で嵌合保持可能に設けてなり、底面側に、装着背面部から前方に突出させた幅狭形成部を設けてなる請求項２又は３記載の壁面装着整理具。
【請求項５】
収納部を上部開口の箱型に形成すると共に、箱の背面部に吸着部を形成してなる請求項２又は３記載の壁面装着整理具。
【発明の詳細な説明】
【技術分野】
【０００１】
本発明は、冷蔵庫の外面や、ホワイトボード等の金属面に吸着させて使用する壁面装着整理具に関するものである。
【背景技術】
【０００２】
壁面装着整理具は、ビス止め、吸盤による吸着、磁石による吸着等の装着対象に対応する装着手段を採用し、箱形状、棚形状、或いはフック形状とした所望の収納構造を備える器具で、所望の壁面に装着して使用されるものである（特許文献１，２，３）。
【０００３】
【特許文献１】実開平６−１７６４９号公報。
【特許文献２】特開２００２−１７５２９号公報。
【特許文献３】特開平１０−１９４５６号公報。
【発明の開示】
【発明が解決しようとする課題】
【０００４】
ところで、装着手段として磁石を採用している器具は、前記の特許文献３に開示されているとおり、磁石吸着面を吸着側に露出させて磁石を器具本体に装着している。磁石と本体との間の固定手段は粘着剤を使用しているのが一般的である。
【０００５】
磁石の磁力を高めると吸着力が高まり、器具の壁面装着がしっかりとなされる一方で、器具の壁面からの着脱に際して磁石と本体部分に強い剥離力が作用し、磁石が本体から離脱してしまうという問題が生ずる。
【０００６】
また磁石の吸着力を高めても、当該吸着力は、垂直壁面に対して直交する水平方向に作用し、収納部分に収納対象物を収納した際に器具に加わる鉛直方向の力（重力）に対しては作用しない。このため特許文献３に開示されている通り冷蔵庫天板上に掛止するフックを必要としてくる。
【０００７】
しかしフックを備える器具は、使用範囲が限定されてしまうし、製造原価を高める原因ともなる。
【０００８】
そこで本発明は、磁石を使用した壁面装着整理具において、磁力の強い磁石を採用しても、磁石が本体から離脱する問題を解決し、且つ磁力を高めることが鉛直方向の支持力を高めるようにした新規な壁面装着整理具を提案したものである。
【課題を解決するための手段】
【０００９】
本発明に係る壁面装着整理具は、適宜な収納部を備えた収納本体に、磁石による吸着部と前記吸着部に対応する滑止部とを付設すると共に、前記吸着部の磁石を、本体と一体に形成された吸着面の内方に組み込んでなることを特徴とするものである。
【００１０】
従って吸着部の吸着面と滑止部とを装着面に当接すると、器具は装着面に装着され、且つ滑止部によって鉛直落下の抵抗力（摩擦）が作用し、所望の位置に器具を取り付けることができる。特に強い磁力の磁石を採用しても、磁石が本体と一体に形成された吸着面の内方に組み込まれているので、本体を把持して壁面より引き剥がしても磁石が本体より分離することが無く、また強い磁力の磁石を採用すると、滑止部の摩擦抵抗も増大する。
【発明の効果】
【００１１】
以上の構成を採用した壁面装着整理具は、強力磁石の採用が可能となり、且つ強力磁石の採用に伴って支持力（摩擦抵抗力）も増大させて、収納能力（負担可能荷重）を高めた器具の提供ができ、結果的に他の吸着部材を必要とせずに、磁石の吸着力のみによる実用的な壁面装着整理具が提供できたものである。
【発明を実施するための最良の形態】
【００１２】
次に本発明の実施の形態について説明する。実施形態に示した器具は、収納本体１と吸着部２と滑止体（滑止部）３とで構成される。
【００１３】
収納本体１は樹脂で形成されるもので、装着背面部１１と前面板部１２と底面板１３で構成された上部開口コの字断面形状で、且つ側部が開口し、収納対象物Ａを装着背面部１１と前面板部１２で嵌合保持可能に設けたものである。更に底面側には、装着背面部１１から前方に突出させた幅狭形成部１４を、装着背面部１１及び前面板部１２の高さの二分の一程度の高さで、少なくとも左右に２個設けたものである。
【００１４】
吸着部２は、装着背面部１１の外面適宜箇所において平滑装着面２１となる突部２２を形成し、当該突部２２の内面側に、外面側との間を薄肉とする凹部２３を形成し、前記凹部２３内に磁石２４を貼着若しくは嵌着して組み込んで形成したものである。
【００１５】
滑止体３は、適宜な柔軟性を有するシリコン樹脂で形成したもので、背面部１１に於ける突部２２の下方に装着孔３１を形成し、当該装着孔３１に差し込んで取り付けるもので、滑止体３の当接面部分は、前記突部２２の平滑装着面２１より僅かに背面側に突出せしめたものである。
【００１６】
而して装着背面部１１を冷蔵庫などの装着対象面Ｂに対面させると、磁石２４の吸引力で突部２２の平滑装着面が装着対象面Ｂに密着し、且つ同時に滑止体３の当接面を装着対象面Ｂに押し付けて、当該装着対象面Ｂに器具が装着され、収納本体１に収納対象物Ａを収納するものである。
【００１７】
そして収納本体１を装着対象面Ｂから引き離しても、強い磁力の磁石が、収納本体１から分離することが無く、同時に強力な磁石を使用することによって、滑止体３が装着対象面Ｂに強く押し付けられ、摩擦抵抗の増大によって荷重負担能力（収納対象物Ａの最大許容重量）を大きくすることができる。
【００１８】
また特に収納本体１は、収納対象物Ａを装着背面部１１と前面板部１２で嵌合保持するようにしたもので、厚みの異なる収納対象物Ａに対しても、幅狭形成部１４と前面板部１２とで嵌合保持することで、収納可能となる。
【００１９】
更に収納本体１の収納構造は任意に定めることができるもので、前記の嵌合保持収納に限らず、図４に例示するように箱型収納部を備えた収納本体１ａや、フックタイプの収納構造を採用しても良い。
【図面の簡単な説明】
【００２０】
【図１】本発明の実施形態の分解斜視図。
【図２】同要部断面図。
【図３】同使用状態の説明図（側面図）。
【図４】同収納構造の別例斜視図。
【符号の説明】
【００２１】
１，１ａ      収納本体
１１          装着背面部
１２          前面板部
１３          底面板
１４          幅狭形成部
２            吸着部
２１          平滑装着面
２２          突部
２３          凹部
２４          磁石
３            滑止体
３１          装着孔
【図１】
2005198880.tif 000003
【図２】
2005198880.tif 000004
【図３】
2005198880.tif 000005
【図４】
2005198880.tif 000006